(57)【要約】      （修正有）【課題】中小規模の歯科技工所における歯科技工物の自動生成設備の導入に寄与する歯科技工用データ変換システムを提供する。【解決手段】歯科技工用データ変換システム１０は、患者の歯の形状をスキャンニングして出力された歯科技工用３次元データに患者に関する情報が付加された歯科技工用ＣＡＤデータを外部から取得するデータ取得部１２と、歯科技工用ＣＡＤデータを外部の切削装置を動作させるための歯科技工用制御データに変換して外部に出力するデータ変換部１４と、を備える。【選択図】図１
0003211924.tif 000002
【実用新案登録請求の範囲】
【請求項１】
患者の歯の形状をスキャンニングして出力された歯科技工用３次元データに前記患者に関する情報が付加された歯科技工用ＣＡＤデータを外部から取得するデータ取得部と、
前記歯科技工用ＣＡＤデータを外部の切削装置を動作させるための歯科技工用制御データに変換して外部に出力するデータ変換部と、
を備えることを特徴とする歯科技工用データ変換システム。
【請求項２】
請求項１に記載の歯科技工用データ変換システムにおいて、
前記データ取得部は、一日を複数の時間帯に分類し、前記歯科技工用ＣＡＤデータを取得した時刻を前記患者の識別情報とともに前記時刻が属する時間帯に対応する格納部に振り分けて記憶し、
前記データ変換部は、時間帯毎に予め定められた時刻から該時間帯に対応する格納部から前記歯科技工用ＣＡＤデータを取り出して変換を行うことを特徴とする歯科技工用データ変換システム。
【考案の詳細な説明】
【技術分野】
【０００１】
本考案は、歯科技工用データ変換システムに関する。
【背景技術】
【０００２】
従来、虫歯などの治療を行う際に、被せ物などの歯科技工物を生成し、患者の歯に被せるなどといった治療が行われている。一般的に、歯科技工物は歯科技工士と呼ばれる専門職が手作業により加工して製造していることが多いが、近年では、患者の歯の形状をスキャンニングし、そこから得られたデータをＣＡＤ／ＣＡＭ変換を行い、歯科用ミリングマシンを用いて歯科技工物を自動的に生成することもなされている。
【０００３】
本考案に関連する技術として、例えば、特許文献１には、ＣＡＤ／ＣＡＭシステムによるＮＣデータ生成システムであって、ユーザ入力に基づいて荒加工条件を設定し、引き続きユーザ入力に基づいて仕上げ加工条件を設定し、さらに引き続いて仕上げ加工パス演算を行い、演算結果のＮＣデータをマシニングセンタに出力する第１のＣＡＤ／ＣＡＭシステムと、前記第１のＣＡＤ／ＣＡＭシステムに結合され、前記荒加工条件に基づいて荒加工パス演算を行い、かつ荒加工のＮＣデータをシミュレーションした結果を前記第１のＣＡＤ／ＣＡＭシステムに引き渡すと共に、前記マシニングセンタに出力する第２のＣＡＤ／ＣＡＭシステムと、を具備するＮＣデータ生成システムが開示されている。
【先行技術文献】
【特許文献】
【０００４】
【特許文献１】特開２００２−３０４２０４号公報
【考案の概要】
【考案が解決しようとする課題】
【０００５】
上記のように歯科技工物を自動的に作る場合には、歯の形状をスキャンニングするスキャナーと、ＣＡＤ／ＣＡＭシステムと、歯科用ミリングマシンが必要となる。これらを全ての設備を自前で用意しようとすると設備投資に膨大な費用が掛かることが多く、資本力のある大規模な歯科技工所は導入することが出来るが、資本力に乏しい中小規模の歯科技工所が導入することは容易ではない。
【０００６】
本考案の目的は、中小規模の歯科技工所における歯科技工物の自動生成設備の導入に寄与する歯科技工用データ変換システムを提供することである。
【課題を解決するための手段】
【０００７】
本考案に係る歯科技工用データ変換システムは、患者の歯の形状をスキャンニングして出力された歯科技工用３次元データに前記患者に関する情報が付加された歯科技工用ＣＡＤデータを外部から取得するデータ取得部と、前記歯科技工用ＣＡＤデータを外部の切削装置を動作させるための歯科技工用制御データに変換して外部に出力するデータ変換部と、を備えることを特徴とする。
【０００８】
また、本考案に係る歯科技工用データ変換システムにおいて、前記データ取得部は、一日を複数の時間帯に分類し、前記歯科技工用ＣＡＤデータを取得した時刻を前記患者の識別情報とともに前記時刻が属する時間帯に対応する格納部に振り分けて記憶し、前記データ変換部は、時間帯毎に予め定められた時刻から該時間帯に対応する格納部から前記歯科技工用ＣＡＤデータを取り出して変換を行うことが好ましい。
【考案の効果】
【０００９】
本考案によれば、外部から取得した歯科技工用ＣＡＤデータを歯科技工用制御データに変換することができる。これにより、高額な費用が必要とされる歯科技工用ＣＡＤデータから歯科技工用制御データへの変換のみを取り出して外部に委託することができるため、中小規模の歯科技工所は、その他の比較的費用がかからない設備を準備することで歯科技工物の自動生成化を実現することができる。
【図面の簡単な説明】
【００１０】
【図１】本考案に係る実施形態において、歯科技工用データ変換システムを含むシステム全体を示す図である。
【図２】本考案に係る実施形態において、歯科技工用データ変換システムの構成図である。
【考案を実施するための形態】
【００１１】
以下に、本考案に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１２】
図１は、歯科技工用データ変換システム１０を含むシステム全体を示す図である。図２は、歯科技工用データ変換システム１０の構成図である。
【００１３】
歯科技工用データ変換システム１０は、データ取得部１２と、データ変換部１４とを備える。歯科技工用データ変換システム１０は、中小規模の歯科技工所８からＣＡＤ部４によって生成された歯科技工用ＣＡＤデータを取得し、中小規模の歯科技工所８のミリングマシン部６を動作させるための歯科技工用制御データを中小規模の歯科技工所８に提供する機能を有する。
【００１４】
ここでは、スキャン部２、ＣＡＤ部４、ミリングマシン部６の所有者は中小規模の歯科技工所８であるものとして説明するが、もちろん、大規模の歯科技工所や個人事業主などであってもよい。また、歯科技工用データ変換システム１０の構成要素ではないが、本考案に係る実施形態において関連性の高い構成要素であるスキャン部２、ＣＡＤ部、ミリングマシン部６について説明する。
【００１５】
スキャン部２は、レーザー光が歯列模型に向け照射され、その反射光をカメラがとらえることにより歯列模型、支台歯のスキャンを行い歯科技工用３次元データ（例えば、ＳＴＬデータ）として出力する。上記スキャンニングの手法は、もちろん一例であり、その他の手法を用いて歯科技工用３次元データを生成してもよい。
【００１６】
ここでは、スキャン部２は、型を取って製作した模型をスキャンするタイプのモデルスキャナーとして説明したが、直接口腔内をスキャンするタイプの口腔内スキャナーであってもよい。
【００１７】
ＣＡＤ部４は、スキャン部２から出力された歯科技工用３次元データを取得し、歯科技工物をデザインして歯科技工用ＣＡＤデータとして出力するＣＡＤソフトを含んで構成される。ここで、ＣＡＤ部４は、患者の歯の形状をスキャンニングして出力された歯科技工用３次元データからデザインされたデザインデータとともに患者に関する情報が付加された歯科技工用ＣＡＤデータとして生成する。
【００１８】
ミリングマシン部６は、歯科技工用データ変換システム１０から供給された歯科技工用制御データ（例えば、ＮＣプログラム）に基づいて、歯科技工物を切削加工するための切削装置である。歯科技工物は、ＣＡＤ／ＣＡＭ冠と呼ばれる。
【００１９】
ＣＡＤ／ＣＡＭ冠の材料として、金属系から樹脂系、セラミックス系といろいろな種類があり、歯の色に近似した白色のタイプはこのうち、樹脂系とセラミックス系が用いられる。
【００２０】
次に、歯科技工用データ変換システム１０のデータ取得部１２とデータ変換部１４について詳細に説明する。データ取得部１２は、スキャン部２によって患者の歯の形状をスキャンニングして出力された歯科技工用３次元データに、ＣＡＤ部４によって患者に関する情報が付加された歯科技工用ＣＡＤデータを中小規模の歯科技工所８から取得する。
【００２１】
ここで、ＣＡＤ部４からデータ取得部１２へのデータの送信については、歯科技工用データ変換システム１０のシステム画面に中小規模の歯科技工所８の所員などがログインして操作することにより送信がなされる。ここでは、中小規模の歯科技工所８が１つのみが記載されているが、実際には、複数の歯科技工所が歯科技工用データ変換システム１０とデータのやり取りを行う。
【００２２】
データ取得部１２は、一日を複数の時間帯に分類し、歯科技工用ＣＡＤデータを取得した時刻を患者の識別情報とともに時刻が属する時間帯に対応する格納部に振り分けて記憶する。患者の識別情報とともに格納することで歯科技工用制御データへ変換した後の返送先を特定することができる。
【００２３】
ここでは、９時〜１１時の時間帯に対応する格納部２２と、１１時〜１３時の時間帯に対応する格納部２４と、１３時〜１５時の時間帯に対応する格納部２６と、１５時〜１７時の時間帯に対応する格納部２８と、１７時〜２０時の時間帯に対応する格納部３０と、２０時〜９時（その他）の時間帯に対応する格納部３２とに格納される。
【００２４】
データ変換部１４は、歯科技工用ＣＡＤデータを中小規模の歯科技工所８のミリングマシン部６を動作させるための歯科技工用制御データに変換するＣＡＭ部として機能する。この機能を担うＣＡＭソフトなどが高額であるため、資本力に乏しい中小規模の歯科技工所は設備を導入しにくいという要因になっている。
【００２５】
データ変換部１４は、時間帯毎に予め定められた時刻から該時間帯に対応する格納部２２〜３２から歯科技工用ＣＡＤデータを取り出して変換を行う。例えば、格納部２２に格納されたデータは、１３時にデータの変換の開始を行い、１３時〜１５時の間で変換を行うように予め設定して変換する。
【００２６】
また、変換された歯科技工用制御データの返却は、歯科技工用データ変換システム１０のシステム画面に中小規模の歯科技工所８の所員などがログインして操作すると、患者の識別情報に紐づけられた歯科技工用制御データを小規模の歯科技工所８へ返却する。中小規模の歯科技工所８は、この歯科技工用制御データを用いて、ミリングマシン部６を動作させて歯科技工物を製造する。
【００２７】
続いて、上記構成の歯科技工用データ変換システム１０の作用について説明する。一般的に、歯科技工所などにおいて歯科技工物の生成を自動化する場合には、歯の形状をスキャンニングするスキャナーと、ＣＡＤ／ＣＡＭシステムと、歯科用ミリングマシンが必要となる。
【００２８】
これらを全ての設備を自前で用意しようとすると設備投資に膨大な費用が掛かることが多く、上述したように、資本力のある大規模な歯科技工所は導入することが出来るが資本力に乏しい中小規模の歯科技工所が導入することは容易ではない。
【００２９】
今後、医療改正によって保険請求の対象が拡大すると、ＣＡＤ／ＣＡＭ冠の増加が見込まれるので、中小規模の歯科技工所でも歯科技工物の生成を自動化していくことが求められる。
【００３０】
ここで、歯科技工用データ変換システム１０によれば、中小規模の歯科技工所８から送信されてきた歯科技工用ＣＡＤデータを歯科技工用制御データに変換して、当該中小規模の歯科技工所８に送り返すことができる。
【００３１】
これにより、中小規模の歯科技工所８は、高額な費用が必要とされる歯科技工用ＣＡＤデータから歯科技工用制御データへの変換（ＣＡＭ部）のみを取り出して外部に委託することができるため、中小規模の歯科技工所８は、その他の比較的費用がかからないスキャン部２、ＣＡＤ部４、ミリングマシン部６について設備投資を行うことで歯科技工物の自動生成化を実現することができる。
【符号の説明】
【００３２】
２  スキャン部、４  ＣＡＤ部、６  ミリングマシン部、８  歯科技工所、１０  歯科技工用データ変換システム、１２  データ取得部、１４  データ変換部、２２，２４，２６，２８，３０，３２  格納部。
【図１】
0003211924.tif 000003
【図２】
0003211924.tif 000004